(57)【要約】      （修正有）【課題】粘着テープが無くても満杯にゴミを入れた状態で容易に開口を閉じることができるゴミ袋を提供する。【解決手段】ゴミ袋は、一方の端部が閉じられ、他方の端部が開口した筒状に形成された袋本体１と、当該袋本体１の開口部２側の端部から当該袋本体１の外方側に延出する帯状の貼着シート部３とを備える。貼着シート部３は、袋本体１の開口部２側の端部から当該袋本体１の外方側に延出するシート状の基材と、基材の袋本体の内周側に対応する側面に形成され、袋本体１の外周面に貼り付け可能な貼着層とを備える。【選択図】図１
0003156517.tif 000002
【実用新案登録請求の範囲】
【請求項１】
一方の端部が閉じられ、他方の端部が開口した筒状に形成された袋本体と、当該袋本体の開口側端部から当該袋本体の外方側に延出する帯状の貼着シート部とを備え、
前記貼着シート部は、前記袋本体の開口側端部から当該袋本体の外方側に延出するシート状の基材と、当該基材の袋本体の内周側に対応する側面に形成され、前記袋本体の外周面に貼り付け可能な貼着層とを備えることを特徴とするゴミ袋。
【請求項２】
前記基材は、前記袋本体の開口側端部から当該袋本体の外方側に延出して帯状に形成され、かつ、長手方向の途中で折り返される折り返し部が形成され、前記折り返し部より先端側に前記貼着層が形成され、折り返すことにより当該貼着層と接触する前記折り返し部より基端側の側面が前記貼着層から容易に剥離可能な剥離面となっていることを特徴とする請求項１に記載のゴミ袋。
【請求項３】
前記基材は、前記袋本体の開口側端部から当該袋本体の外方側に延出して帯状に形成され、かつ、長手方向の途中で折り返される折り返し部が形成され、前記基材の前記折り返し部より先端側および前記折り返し部より基端側にそれぞれ互いに対向する貼着層が形成され、当該貼着層どうしの間に前記貼着層から容易に剥離可能な剥離シートが挟まれていることを特徴とする請求項１に記載のゴミ袋。
【請求項４】
前記貼着シート部が二つ設けられるとともに、二つの当該貼着シート部が前記袋本体の開口を円状に広げた場合に当該円の中心に対して略９０度離れた位置に配置されていることを特徴とする請求項１から請求項３のいずれか１項に記載のゴミ袋。
【請求項５】
前記基材が袋本体と一体に形成されていることを特徴とする請求項１から請求項４のいずれか１項に記載のゴミ袋。
【考案の詳細な説明】
【技術分野】
【０００１】
本考案は、ゴミ袋に関する。
【背景技術】
【０００２】
従来、ゴミの入ったゴミ袋をゴミの集積場所に出す際には、ゴミ袋の開口を閉じるが、この際には、ゴミ袋の開口となる上縁部（開口の周縁部）の対向する２箇所を引っ張って、引っ張り出された部分を結ぶことが行われている。また、一回結んだだけではうまく閉じられない場合に、さらに別の２箇所を引っ張って結んでいる。また、開口を閉じたゴミ袋を運ぶ際に結んだ部分を持つ場合がある。結んだ部分は比較的容易に持つことができる。
しかし、ゴミ袋のゴミが満杯に入った状態では、ゴミが邪魔になったり、ゴミ袋の開口の周縁部の対向する２箇所を結べるぐらいまで引っ張ることが困難になって、結ぶのが難しかった。
【０００３】
また、開口が設けられるゴミ袋の上端部の周囲に紐を巻いてから、この紐を縛ることにより開口部を閉じる場合もある。この場合もゴミ袋が満杯だと、ゴミ袋の開口の周縁部を紐で縛れるように絞って細くした状態とすることが困難となるとともに、ゴミ袋以外に紐を用意しておく必要がある。
また、もっと簡単にゴミ袋の開口部に粘着テープを張って閉じる場合もある。この場合には、ゴミ袋が満杯でも比較的容易に閉じることができるが、粘着テープを用意しておく必要がある。また、粘着テープで開口を閉じた場合に、ゴミ袋を手軽に持つ部分がなく、ゴミ袋を抱えたり、ゴミ袋の底部分を支えて持ったりする必要があった。
【０００４】
そこで、ゴミ袋の上部を紐状（帯状）に切断できるように、ゴミ袋の上部にミシン目等の切断部を予め設けておき、ゴミ袋の上部を切り離し（完全に切り離さずに一部繋がった状態でもよい）、この切り離された部分を紐として、この紐でゴミ袋の上部を縛って閉じることが提案されている（例えば、特許文献１、２参照）。このようにすれば、紐を別途用意する必要がなくなる。
【０００５】
また、ゴミ袋の開口部側となる上端部の内周面の全周もしくは半周部分に接着剤が塗布された接着部を設け、この接着部に剥離紙を貼っておき、ゴミ袋を閉じる際に剥離紙を剥がして、ゴミ袋の対向する内周面どうしを接着することにより、ゴミ袋を閉じることが提案されている（例えば、特許文献３参照）。このようにすれば、粘着テープを別途用意する必要がなくなる。
また、前記接着部に変えて、予めゴミ袋の上端部の内周側に両面テークを貼ることで、上述の接着部と同様に使用可能なゴミ袋が提案されており、この場合も粘着テープを用意する必要がなくなる（例えば、特許文献４参照）。
【先行技術文献】
【特許文献】
【０００６】
【特許文献１】実開平０７−２３７０１号公報
【特許文献２】特開２００７−２８４２３３号公報
【特許文献３】特開２００６−１４３４６５号公報
【特許文献４】実開平０６−８０７０５号公報
【考案の概要】
【考案が解決しようとする課題】
【０００７】
ところで、ゴミ袋の上部を紐状に切り離し、この切り離された部分でゴミ袋の上部を縛る場合には、紐を用意する必要はないが、ゴミ袋が満杯の状態だと、ゴミ袋の上部を切り離すのが難しくなり、さらに上部を切り離すことにより、ゴミ袋の上下長さが短くなってしまい、満杯の状態では、ゴミがゴミ袋から落ちたり、より満杯の状態となってゴミ袋の開口部分を縛ることが難しくなる。
言い換えれば、ゴミ袋に収容可能なゴミの容量が紐で縛る場合よりもさらに少なくなってしまう。
【０００８】
また、ゴミ袋の開口部の内周面に接着部を設けたり、両面テープを貼ったりすることにより、開口部の内周面どうしを付けるタイプのものは、比較的満杯でも紐で縛るよりは、容易に開口を閉じられる可能性があるが、それでも開口部の内周縁部分の内面どうしを接触させるまで近づける必要があるので、ゴミが開口部まで満杯に入っていると、開口部を閉じることができない。
【０００９】
また、接着面が袋の内周側なので、ゴミが満杯だと接着面にゴミが付いてしまい、開口部の内周面どうしを接着する作業を行うのに、ゴミが邪魔して当該作業が煩わしいものとなってしまう。
本考案は、上記事情に鑑みてなされたもので、ゴミが満杯となっても容易に開口を閉じることが可能なゴミ袋を提供することを目的としている。
【課題を解決するための手段】
【００１０】
上記課題を解決するために、請求項１に記載のゴミ袋は、一方の端部が閉じられ、他方の端部が開口した筒状に形成された袋本体と、当該袋本体の開口側端部から当該袋本体の外方側に延出する帯状の貼着シート部とを備え、
前記貼着シート部は、前記袋本体の開口側端部から当該袋本体の外方側に延出するシート状の基材と、当該基材の袋本体の内周側に対応する側面に形成され、前記袋本体の外周面に貼り付け可能な貼着層とを備えることを特徴とする。
【００１１】
請求項１に記載の考案においては、貼着シート部を袋本体の開口の対向する側に延ばしてその外周面に貼着層を貼り付けることで袋本体の開口を閉じることができる。この場合に、ゴミ袋を粘着テープで止めた場合と同様に満杯の状態のゴミ袋でも容易に開口を閉じることができるとともに、粘着テープを用意しておく必要がなく、いつでもゴミ袋を閉じることができる。
また、袋本体の内周側に対応する貼着シート部の側面に貼着層が形成されていても、貼着シート部が袋本体の外方側に延出しているので、貼着層にゴミが付くのを防止することができる。
【００１２】
請求項２に記載のゴミ袋は、請求項１に記載の考案において、前記基材は、前記袋本体の開口側端部から当該袋本体の外方側に延出して帯状に形成され、かつ、長手方向の途中で折り返される折り返し部が形成され、前記折り返し部より先端側に前記貼着層が形成され、折り返すことにより当該貼着層と接触する前記折り返し部より基端側の側面が前記貼着層から容易に剥離可能な剥離面となっていることを特徴とする。
【００１３】
請求項２に記載の考案においては、貼着層の粘着面を保護する剥離シートを別途用いる必要がなく、基材の折り返し部より基端側が剥離シートとして機能することになる。したがって、剥離シートがゴミになることがなく、使用時に剥がした剥離シートを袋本体内に入れる必要がない。また、折り返し部より基端側には、貼着層が形成されていないので、ゴミ袋を運ぶ際に基材の基端部を持つことができる。これにより、ゴミ袋を運ぶ際にゴミ袋を持つことが容易となる。
【００１４】
請求項３に記載のゴミ袋は、請求項１に記載の考案において、前記基材は、前記袋本体の開口側端部から当該袋本体の外方側に延出して帯状に形成され、かつ、長手方向の途中で折り返される折り返し部が形成され、前記基材の前記折り返し部より先端側および前記折り返し部より基端側にそれぞれ互いに対向する貼着層が形成され、当該貼着層どうしの間に前記貼着層から容易に剥離可能な剥離シートが挟まれていることを特徴とする。
【００１５】
請求項３に記載の考案においては、貼着シート部の略全体に貼着層を形成できるので、袋本体の開口部を強固に閉じた状態とすることができる。
【００１６】
請求項４に記載のゴミ袋は、請求項１から請求項３のいずれか１項に記載の考案において、前記貼着シート部が二つ設けられるとともに、二つの当該貼着シート部が前記袋本体の開口を円状に広げた場合に当該円の中心に対して略９０度離れた位置に配置されていることを特徴とする。
【００１７】
ゴミ袋の開口を二つの貼着シート部で十字状に閉じた状態とできるので、二つだけの貼着シート部でゴミが満杯でもゴミが漏れないように袋本体の開口部を確実に閉じることができる。
【００１８】
請求項５に記載のゴミ袋は、請求項１から請求項４のいずれか１項に記載の考案において、前記基材が袋本体と一体に形成されていることを特徴とする。
【００１９】
請求項５に記載の考案においては、基材を袋本体が製造されてから後付けするより、容易に形成することができる。
【考案の効果】
【００２０】
本考案によれば、ゴミ袋が満杯となっていても、ゴミ袋の開口を容易に閉じることができる。したがって、ゴミ袋に、当該ゴミ袋の略容量一杯にゴミを入れることができる。
【図面の簡単な説明】
【００２１】
【図１】本考案の実施の形態のゴミ袋を示す概略図である。
【図２】前記ゴミ袋の貼着シート部を示す断面図である。
【図３】前記貼着シート部で袋本体の開口部を閉じる際のゴミ袋を示す要部断面図である。
【図４】貼着シート部で開口部を閉じたゴミ袋を示す平面図である。
【図５】前記貼着シート部の変形例を示す断面図である。
【図６】前期貼着シート部の別の変形例を示す断面図である。
【考案を実施するための形態】
【００２２】
以下、本考案の実施の形態を図面を参照して説明する。
図１は本考案の実施の形態のゴミ袋を示す概略図であり、図２は前記ゴミ袋の貼着シート部を示す断面図であり、図３は前記貼着シート部で袋本体の開口部を閉じる際のゴミ袋を示す要部断面図であり、図４は貼着シート部で開口部を閉じたゴミ袋を示す平面図である。なお、図２および図３と、後述の図５および図６とでは、部材の厚さを部材の大きさに対して実際より厚く図示している。
【００２３】
図１に示すように、本実施の形態のゴミ袋は、袋本体１と、袋本体１の開口部２の周縁部の２箇所に形成された貼着シート部３とからなっている。
【００２４】
袋本体１は、たとえば、周知のゴミ袋と同様の構成のものであり、たとえば、筒状の半透明の樹脂シートを筒の軸方向と直交する方向に切断し、切断された両端部のうちの一方を一枚のシート状となるように溶着（圧着）して閉じて封筒状としたものである。袋本体１の閉じられなかった方の端部が開口部２となる。また、袋本体１の閉じられた方の端部が底部４となる。
【００２５】
底部４は、前記筒状の樹脂シートの円筒状にした場合に１８０度ずれた位置となる二箇所の折部５で折って、平面状とした後、互いに接触した部分を上述のように溶着等により接合したものである。前記折部５は、前記筒の軸方向に沿ったものとなっている。
筒状のゴミ袋は、底部４に対応して左右の折部５で折って全体を平面状とした後に、複数枚の平面状とされたゴミ袋を重ね、これらゴミ袋を複数回折って畳んだ後に袋等に収納されるようになっている。
なお、袋本体１は、最初から筒状に形成された樹脂シートではなく、平面状の樹脂シートを溶着等により筒状（たとえば、封筒状）にしたものを用いてもよい。
【００２６】
そして、袋本体１の開口部２となる端部側には、上述の筒の軸方向に沿って当該袋本体１の外方側に延出する帯状の前記貼着シート部３が設けられている。貼着シート部３は、袋本体１の開口部２の周縁部となる端部の２箇所に設けられるが、たとえば、袋本体１の開口部２の部分を円状に開いた際に、この円の中心に対して互いに略９０度離れる位置に、それぞれ貼着シート部３が配置されており、後述のように、袋を閉じた際に二つの貼着シート部３が十字状に配置されるようになっている。
【００２７】
なお、この例では、袋本体１を底部４に合わせて平面状とした際に、２つの貼着シート部３のうちの一方の貼着シート部３が、上述のように折られて平面状となった袋本体１の開口部２側端部の幅方向の略中央に配置され、他方の貼着シート部３が平面状にされた袋本体１の開口部２側端部の左右の折部５のうちの一方の折部５側に配置されている。
なお、この例では、図１に示すように袋本体１の開口部２側端部の左右端部（折部５）のうちの一方の端部に配置される貼着シート部３が袋本体１の折部５と重なって折られないように、袋本体１の折部５より少しずらした位置に配置されている。
【００２８】
そして、図２に示すように貼着シート部３は、袋本体１と一体に形成されるか、溶着等により取り付けられたシート状で帯状の基材３１と、基材３１に形成された貼着層３２を備えている。
また、この例では、基材３１は、上記筒の軸方向に沿った方向が長手方向となる帯状とされるとともに、長手方向のほぼ中央部となる折り返し部３３で前記長手方向に直交する方向を折り線として折り返された状態となっている。
【００２９】
そして、基材３１は、折り返されることで二つ区分された状態で、折り返し部３３より先端側の先端部３４に貼着層３２が設けられている。貼着層３２は、たとえば、周知の粘着剤が基材３１の一方の面に塗布されたものであり、周知の各種接着テープや粘着テープと同様の構成のものである。
また、基材３１を折らない状態で、当該基材３１の筒状の袋本体１の内周側となる面で、かつ、前記折り返し部３３で折った場合に内側となる面に貼着層３２が設けられている。
【００３０】
そして、基材３１の折り返し部３３より基端側の基端部３５の貼着層３２と対向する側面は、たとえば、周知の離剥剤が塗布されることで剥離面となっており、基端部３５が離剥紙として機能するようになっている。したがって、基材３１が折り返し部３３で折られることで、先端部の貼着層３２に基端部３５が貼り付いて、貼着層３２全体を基端部３５が覆った状態となるが、先端部３４の貼着層３２から容易に基端部３５を剥がせるようになっている。
【００３１】
以上のようなゴミ袋においては、図１に示す状態で、内部にゴミが入れられることになる。そして、ゴミがほぼ満杯となった状態で、一方の貼着シート部３の折り返し部３３より先端側となる基材３１の先端部３４を、折り返し部３３より基端側の基端部３５から剥がすことにより、貼着層３２を露出させ、図３に示すように基材３１（貼着シート部）を折り返した状態から伸ばした状態とする。
【００３２】
そして、袋本体１の開いた状態の開口部２の貼着シート部３が設けられた部分に対向する側に向かって貼着シート部３を伸ばし、袋本体１の外周面側に貼着層３２を貼り付ける。
また、もう一つの貼着シート部３も同様にして、袋本体１の貼着シート部３と対向する側の外周面に貼着層３２を貼り付けることで、図４に示す状態となる。
これにより、袋本体１の開口部２が閉じた状態となる。この際には、粘着テープでゴミ袋の開口を閉じた場合と同様に、袋本体１が満杯となっていても、袋本体１の開口部２を閉じた状態とすることができるとともに、貼着シート部３が予め袋本体１に設けられた状態なので、袋本体１を閉じる際に予め粘着テープを用意しておく必要がない。
【００３３】
ここで、この例の場合に、袋本体１の開口部２を閉じる際には、たとえば、袋本体１の開口部の周縁の対向する二箇所がゴミがもれない程度に略接触した状態となればいいので、ゴミ袋の対向する二箇所の周縁部を結ぶ場合のように、ゴミ袋の対向する二箇所を結び目が作れるほど引っ張る必要がない。したがって、袋本体１が略満杯でも開口部２を閉じることが可能となる。また、袋本体１の開口部の周縁の対向する二箇所をゴミが落下しない程度に離した状態で閉じてもよく、たとえば、帯状の貼着シート部３の幅程度離れた状態に閉じてもよい。
また、貼着層３２は、袋本体１の内周側となる側面に形成されるが、袋本体１より外側に延出して形成された基材３１に設けられているので、貼着層３２とゴミとが接触する虞がなく、容易に貼着層３２を袋本体１の外周面側に貼り付けることができる。
【００３４】
また、この例の場合に、ゴミ袋の上部を紐で縛る場合のように、紐で縛られる部分よりも上側まで、ゴミ袋の開口側端部を細く絞った状態とする必要がないので、袋本体１が略満杯でも開口部２を閉じることが可能となる。
また、この例では、貼着シート部３の基端部３５には、貼着層３２が設けられていないので、閉じた状態において、基端部３５と袋本体１の開口部２側の端部との間に指を入れることが可能で、かつ、指に貼着層３２が付くこともないので、この基端部３５を持ってゴミ袋を運ぶことが可能となり、ゴミ袋の集積場までの持ち運びが楽になる。
【００３５】
図５は、貼着シート部３の変形例となる貼着シート部７を示すものである。貼着シート部７は、貼着シート部３と同様に基材７１と、貼着層７２とを有するとともに、貼着シート部３にはない離剥シート部７６を有するものとなっている。
貼着シート部７の基材７１は、基材３１と同様に折り返し部７３で折りかされるようになっている。
貼着層７２は、貼着シート部３の場合と異なり、基材７１の先端部７４および基端部７５との両方に形成されている。なお、基材７１の貼着層７２が形成される側は、上述の袋本体１の筒の内周側となる側面である。
【００３６】
そして、折り返し部７３で折り返した場合に、先端部７４の貼着層７２と基端部７５の貼着層７２とが接触する状態となるが、先端部７４と基端部７５との間に、離剥シート部７６が挟まれた状態となっている。
これにより、先端部７４側の貼着層７２と、基端部７５側の貼着層７２とが互いに貼り付いてしまうのを防止している。
【００３７】
そして、貼着シート部７は、貼着シート部３と同様に使用可能であるが、貼着シート部７では、ほぼ全面に貼着層７２が形成されているので、より強固に袋本体１の開口部２を閉じることができる。なお、貼着シート部３のように基端部３５を持ってゴミ袋を運ぶことはできない。
また、図５において、貼着シート部７の折り返し部７３で、基材７１に貼着層７２が設けられていない状態となっているが、折り返し部７３でも基材７１に貼着層７２を設けるものとしてもよい。
【００３８】
図６は、貼着シート部３の変形例となる貼着シート部８を示すものである。貼着シート部８には、折り返し部がなく、折らずに真っ直ぐな状態となっている。そして、貼着シート部８は、折らないこと以外は、貼着シート部７と同様に、基材８１、基材８１の袋本体１の内周面側となる側面に形成された貼着層８２と、貼着層８２に貼られた離剥シート部８６とからなっている。
【００３９】
貼着シート部８では、折り返し部がないので、折り返し部を真っ直ぐに引き伸ばすことなく、離剥シート部８６を貼着層８２から剥がすことにより袋本体１の開口部２を閉じることができる。離剥シート部８６を剥がしてからは、剥離シート部７６を剥がした貼着シート部７と同様に使用することができる。
上記ゴミ袋において、保管、搬送、販売時に当該ゴミ袋を上述のように折って畳んで収納した状態とする際に、貼着シート部３，７，８を袋本体１の内側に折り畳んだ状態（折り込んだ）としてもよい、
【００４０】
また、貼着シート部３，７，８の基材３１，７１，８１は、袋本体１に溶着等により取り付けるものとしてもよいし、袋本体１を形成する際に一体に設けるものとしてもよい。一体に設ける場合は、筒状の樹脂シートを切断して袋本体１を形成する際に、切断により帯状に延出する基材３１，７１，８１を形成するものとしてもよい。この場合には、袋本体１を形成した後に、一緒に形成された基材３１，７１，８１に貼着層３２，７２，８２を設けるなどして、貼着シート部３，７，８を設けることになる。
【００４１】
また、基材３１，７１，８１を袋本体１に後付けする場合には、予め基材３１，７１，８１に貼着層３２，７２，８２等を取り付けることで貼着シート部３，７，８を設けた後に、基材３１，７１，８１を袋本体１に取り付けることが好ましい。
また、袋本体１に設ける貼着シート部３，７，８を３つ以上設けるものとしてもよい。
【００４２】
また、貼着シート部７，８において、剥離シート部７６，８６を基材７１，８１の先端部から連続した状態に基材７１，８１と一体に形成し、基材７１，８１の先端部で折り返すことにより、貼着層７２，８２に貼り付けた状態とするものとしてもよい。この場合に、剥離シート部７６，８６を剥がした際に、ゴミとならず、剥離シート部７６，８６の後処理を必要としない。
【符号の説明】
【００４３】
１      袋本体
２      開口部（開口）
３      貼着シート部
３１    基材
３２    貼着層
３３    折り返し部
３４    先端部
３５    基端部
７      粘着シート部
７１    基材
７２    貼着層
７３    折り返し部
７４    先端部
７５    基端部
８      貼着シート部
８１    基材
８２    貼着層
【図１】
0003156517.tif 000003
【図２】
0003156517.tif 000004
【図３】
0003156517.tif 000005
【図４】
0003156517.tif 000006
【図５】
0003156517.tif 000007
【図６】
0003156517.tif 000008